(57)【要約】【課題】本や原稿が動いた場合でも、希望どおりの複写物を得ることのできる画像形成装置を提供する。【解決手段】検知部によりプラテンガラス１４に載置された原稿の載置位置を検知すると共に、表示部３１によりプラテンガラス１４に載置された原稿の載置位置を表示する。そして、画像読取動作が開始されるまでは、所定間隔で原稿の載置位置を検知するように検知部を制御し、検知部により検知した最新の原稿載置位置と、最新の原稿載置位置の直前の原稿載置位置とが異なる場合には、最新の原稿載置位置を表示するように表示部３１を制御する。【選択図】図１
2011119815.tif 000002
【特許請求の範囲】
【請求項１】
載置台ガラスの所定の載置位置に載置された原稿の画像を読み取る画像読取部を備え、画像読取動作を開始する前に、前記載置台ガラスに載置された原稿の載置位置を検知して表示する画像読取装置と、前記画像読取装置により読み取られた画像情報に基づいて画像を形成する画像形成部と、を備えた画像形成装置において、
前記載置台ガラスに載置された原稿の載置位置を検知する検知部と、
前記検知部により検知された原稿の載置位置を表示する表示部と、
画像読取動作が開始されるまでは、所定間隔で原稿の載置位置を検知するように前記検知部を制御し、前記検知部により検知した最新の原稿載置位置と、前記最新の原稿載置位置の直前の原稿載置位置とが異なる場合には、前記最新の原稿載置位置を表示するように前記表示部を制御する制御部と、を備えたことを特徴とする画像形成装置。
【請求項２】
前記検知部は、前記画像読取部であり、
前記制御部は、前記画像読取動作が開始されるまでは、所定間隔で原稿の画像を読み取るように前記画像読取部を制御し、前記表示部に前記原稿の載置位置の表示として前記画像読取部が読み取った原稿の画像を表示することを特徴とする請求項１記載の画像形成装置。
【請求項３】
前記表示部に表示される前記最新の原稿載置位置が前記所定の載置位置の場合は、前記表示部に表示された原稿の画像を前記画像形成部により画像を形成する際の前記画像情報とすることを特徴とする請求項２記載の画像形成装置。
【請求項４】
前記検知部は、前記画像読取部が読み取った原稿の画像の辺の位置を検知して原稿の載置位置を検知するものであり、
前記制御部は、前記検知部が検知した原稿の辺が前記所定の載置位置からはみ出していない場合に、前記表示部に表示される前記最新の原稿載置位置が前記所定の載置位置であると判断することを特徴とする請求項１記載の画像形成装置。
【請求項５】
前記制御部は、前記表示部に表示される前記最新の原稿載置位置が前記所定の載置位置であると判断した場合は、前記表示部に表示された原稿の画像を前記画像形成部により画像を形成する際の前記画像情報として前記画像形成部に出力することを特徴とする請求項１記載の画像形成装置。
【発明の詳細な説明】
【技術分野】
【０００１】
本発明は、画像形成装置に関し、特に原稿画像を読み取る前に原稿が載置されている位置を表示するプレビュー表示機能を有する画像読取装置を備えたものに関する。
【背景技術】
【０００２】
従来、デジタル複写機、プリンタ、ファクシミリ等の画像形成装置においては、画像形成部と、画像読取装置とを備え、画像形成部により、画像読取装置によって読み取った画像情報に基づいて画像を形成するようにしたものがある。この画像読取装置の読み取り方法としては、原稿をプラテンガラス上に載置した後、圧板により原稿や本をプラテンガラスに密着させ、この状態で画像読取部を走査させることにより画像を読み取る方法がある。
【０００３】
ところが、圧板により本を固定しようとして圧板を押える場合、本の押え方が良くないと、図１０の（ａ）に示すように、本ＢＰの見開き部分がゆがんでしまう場合がある。また、原稿がカール紙、折りが強い紙、薄い紙、小さい紙等の場合、手で圧板を押えると、セットした位置から原稿がずれる、あるいは圧板とプラテンガラスの間で原稿を挟んだ場合、図１０の（ｂ）に示すように、原稿Ｐを折ってしまうことがある。そして、このように本ＢＰの見開き部分がゆがんでしまうと、また原稿Ｐがずれたり折れたりしてしまうと、適切な画像読取を行うことができず、希望した複写物を得ることができない。
【０００４】
そこで、従来は、シートに画像を形成する前に、原稿の載置位置を確認できるプレビュー表示機能を有するものがある（特許文献１参照）。また、読み取った原稿画像の画像形成動作に連動して、形成された画像データに対応する画像を表示装置に表示するものがある（特許文献２参照）。そして、このようにプレビュー表示や画像データに対応する画像の表示を行い、この結果に応じて本ＢＰや原稿Ｐをセットし直すことにより、希望どおりの複写物を得ることができる。
【先行技術文献】
【特許文献】
【０００５】
【特許文献１】特開平１０−１４３０１６号公報
【特許文献２】特開平１１−０５５４３３号公報
【発明の概要】
【発明が解決しようとする課題】
【０００６】
しかし、このような従来の画像読取装置を備えた画像形成装置において、プレビュー表示を行った後、画像読取動作が開始されるまでに、例えば圧板が押圧されたりすると、再度、本の見開き部分がゆがんだり、原稿がずれたり折れたりしてしまう場合がある。つまり、従来の画像形成装置において、プレビュー表示により本や原稿をセットし直した場合でも本や原稿が動く場合があり、この場合には希望どおりの複写物を得ることができない。
【０００７】
そこで、本発明は、このような現状に鑑みてなされたものであり、本や原稿が動いた場合でも、希望どおりの複写物を得ることのできる画像形成装置を提供することを目的とするものである。
【課題を解決するための手段】
【０００８】
本発明は、載置台ガラスの所定の載置位置に載置された原稿の画像を読み取る画像読取部を備え、画像読取動作を開始する前に、前記載置台ガラスに載置された原稿の載置位置を検知して表示する画像読取装置と、前記画像読取装置により読み取られた画像情報に基づいて画像を形成する画像形成部と、を備えた画像形成装置において、前記載置台ガラスに載置された原稿の載置位置を検知する検知部と、前記検知部により検知された原稿の載置位置を表示する表示部と、画像読取動作が開始されるまでは、所定間隔で原稿の載置位置を検知するように前記検知部を制御し、前記検知部により検知した最新の原稿載置位置と、前記最新の原稿載置位置の直前の原稿載置位置とが異なる場合には、前記最新の原稿載置位置を表示するように前記表示部を制御する制御部と、を備えたことを特徴とするものである。
【発明の効果】
【０００９】
本発明のように、画像読取動作が開始されるまでは、所定間隔で原稿の載置位置を検知し、検知した最新の原稿載置位置と、直前の原稿載置位置とが異なる場合には、最新の原稿載置位置を表示することにより、逐次、最新の読み取り原稿載置位置が確認できる。この結果、本や原稿が動いた場合でも、画像読取動作が開始されるまでに本や原稿を所定の載置位置に載置しなおすことができるので、希望どおりの複写物を得ることができる。
【図面の簡単な説明】
【００１０】
【図１】本発明の第１の実施の形態に係る画像読取装置の斜視図。
【図２】上記画像読取装置の画像読取動作を説明する図。
【図３】上記画像読取装置の制御ブロック図。
【図４】上記画像読取装置の表示部に表示される画像データの例を示す図。
【図５】本実施の形態に係る第１の画像データと第２の画像データの差異を解析する方法の一例を説明する図。
【図６】最新の画像データに応じて原稿の載置位置を変更する例を示す図。
【図７】上記画像読取装置のプレビュー表示制御を示すフローチャート。
【図８】本発明の第２の実施の形態の画像読取装置のプレビュー表示制御を示すフローチャート。
【図９】最新の画像データに応じて本の載置位置を変更する例を示す図。
【図１０】従来の画像読取装置の本や原稿の画像を読み取る際のずれ等を説明する図。
【発明を実施するための形態】
【００１１】
以下、本発明を実施するための形態について図面を用いて詳細に説明する。図１は、本発明の第１の実施の形態に係る画像読取装置の斜視図である。図１において、１は画像読取装置であり、この画像読取装置１は、内部に画像読取部である読取ユニットを備えた画像読取装置本体１１、シート押圧部である圧板ユニット１２及び操作部１３を備えている。そして、この画像読取装置１は、後述する図３に示すプリンタ等の画像形成装置に接続されている。あるいは、画像形成装置に一体に設けられている。
【００１２】
画像読取装置本体１１は、上面に原稿を読み取るためのプラテンガラス（載置台ガラス）１４が設けられ、内部に設けられた読取ユニットは図２に示すプラテンガラス１４の下方に配された読取素子４３を備えている。この読取素子４３は、光源により光を原稿に照射すると共に、原稿からの反射光を検知して電気信号に変換するものである。なお、この読取素子４３はＣＣＤ素子やＣＩＳ（コンタクトイメージセンサ、ラインセンサ）などで構成される。また、本実施の形態において、この読取素子４３は、原稿画像を読み取る際は、一括して原稿画像を読み取るようになっているが、左右方向に移動して原稿画像を読み取るように構成しても良い。
【００１３】
圧板ユニット１２は、原稿をプラテンガラス１４に押し付けるものであり、画像読取装置本体１１に開閉自在に保持されている。なお、この圧板ユニット１２の底面には、プラテンガラス上に載置された原稿の動きを規制すると共に、読み取り用の光源が原稿を透過するのを防ぐ白地板１２ａが取り付けられている。
【００１４】
そして、このような画像読取装置１において、画像を読み取る場合は、まず図１の（ａ）に示すように圧板ユニット１２を開き、この状態で、図２に示すように原稿Ｐをプラテンガラス上に載せる。次に、図１の（ｂ）に示すように圧板ユニット１２を閉じ、圧板ユニット１２により原稿Ｐを上から押えるようにする。次に、操作部１３のスタートキーを押下することにより、プラテンガラス１４に載置された原稿Ｐに対して光を照射しながら読取素子４３が原稿画像の一括読み取りを開始すると共に、読み取った原稿画像情報を電気信号及びデジタルデータに置き換える。なお、このように電気信号及びデジタルデータに置き換えられた原稿画像情報は、画像形成装置に送られ、画像形成装置では、この原稿画像情報に基づいて不図示の画像形成部により画像が形成される。
【００１５】
ところで、本実施の形態において、図１の（ｂ）に示すように圧板ユニット１２の上面には、原稿のプラテンガラス上の積載位置（載置状態）を表示する表示部３１が設けられている。そして、原稿画像の読み取りを開始する前に、必要に応じて読取素子４３により原稿のプラテンガラス上の載置位置を読み取り、読み取った原稿の載置位置を表示部３１に表示するようにしている。
【００１６】
図３は、画像読取装置１の制御ブロック図である。図３において、５１は画像読取装置全体を制御する制御部であるＣＰＵ、５２は制御プログラムを格納するＲＯＭであり、ＣＰＵ５１は制御プログラムにより動作する。５３はデータ蓄積部であり、原稿を読み込んだ画像データや解析する画像データを蓄積するものであり、ＲＡＭやフラッシュメモリ、ハードディスクなどで構成される。なお、制御プログラムはＲＯＭ５２だけでなく、データ蓄積部５３の一部のエリアを使って蓄積しても良い。
【００１７】
５４は画像データ解析部であり、読取素子４３により一括して読み込んだ原稿の載置位置に関するデータを解析するものである。５５は記録部であり、読み取られた画像データを印字データとしてプリンタ等の画像形成装置２０に出力するものである。そして、画像形成装置２０は、この画像データに基づいて画像形成部によりシートに画像を形成し、複写物を得る。操作部１３は操作キーを備え、操作キーが押下されると、これに応じてＣＰＵ５１は制御プログラムにしたがって所定の動作を行う。これらはデータバス、制御信号などで電気的に接続されている。なお、本実施の形態において、ＣＰＵを画像読取装置１に設けたが、画像形成装置２０に設けるようにしても良い。
【００１８】
ここで、本実施の形態において、原稿画像の読み取りを開始する前に、原稿の載置位置をプレビュー表示するモードを備えている。そして、このプレビュー表示モードが設定された場合は、原稿画像の読み取りを開始する前に、原稿の載置位置を検知する検知部として作用する読取素子４３により原稿Ｐの載置位置を読み取る。この後、読み取ったデータをデータ蓄積部５３に格納すると共に、表示部３１でプレビュー表示する。
【００１９】
図４は、表示部３１に表示される原稿Ｐの載置位置（載置状態）を示す画像データを示しており、本実施の形態においては、画像データは、読取素子４３が読み取った原稿画像を印字出力する形式で表示されている。また、画像データは選択されているシートの中に収まる状態でプレビュー表示される。例えば、Ａ４サイズのシートが選択されている場合は、図４の（ａ）に示すようにＡ４サイズのシートに該当する枠を表示すると共に、印字する予定の画像データから作られる画像が枠中に表示されている。なお、表示部３１の大きさによっては、選択されているシートのサイズの実寸より大きく表示してもいいし、小さく表示しても良い。
【００２０】
また、このように原稿Ｐの載置位置に関する画像データをプレビュー表示した後、所定時間、例えば３秒経過してもスタート操作が行われない場合は、再度、読取素子４３により原稿Ｐを読み取り、読み取った画像データはデータ蓄積部５３に格納する。そして、この後、先にデータ蓄積部５３に格納されている直前の画像データである第１の画像データと、このように再度、読み取った画像データである第２の画像データとの差異を画像データ解析部５４で解析検知する。
【００２１】
図４は、表示部３１に表示される画像データを示す図であり、図４の（ａ）は原稿が適切な載置状態、すなわち所定の載置位置にあるときの画像データの表示例を示している。また、図４の（ｂ）は第１の画像データの表示例を示し、図４の（ｃ）は第２の画像データの表示例を示している。ここで、図４の（ｂ）のように表示された場合、左の部分が欠けているので、操作者は、原稿Ｐが横方向にずれていると判別することができる。この場合、操作者は圧板１２を開けて、再度、原稿Ｐを所定の載置位置に載置し直す。これにより、この後、一定時間後に画像データを読み取って再度、プレビュー表示すると、表示される画像データは図４の（ｃ）に示すようになり、操作者は原稿Ｐが所定の画像読み取り位置、すなわち適切な載置状態にあることを、この表示により確認できる。
【００２２】
図５は、本実施の形態に係る第１の画像データと第２の画像データの差異を画像データ解析部５４で解析する方法の一例を説明する図である。この方式の場合は、一定のエリアのウィンドウＷを設ける。なお、このウィンドウＷのサイズは任意であり、画像データの量や設定されているシートのサイズ、読み取り解像度などで適宜、決めてよい。
【００２３】
そして、画像データの差異の解析を行う場合は、まず図５の（ａ）に示す第１の画像データのウィンドウ内の画像データを抽出する。なお、この図５の（ａ）は、第１の画像データが図４の（ｂ）に示すデータの場合を示している。次に、図５の（ｂ）に示すように第２の画像データの同じ場所にも同じサイズのウィンドウＷを設け、同様に、第２の画像データのウィンドウ内の画像データを抽出する。なお、この図５の（ｂ）は、第２の画像データが図４の（ｃ）に示すデータの場合を示している。
【００２４】
次に、これら二種類のデータの差を取り、結果が０（ゼロ）になるか、０以外になるかを識別する。データの差が０の場合はウィンドウＷの場所の画像データは同じであると判断し、この後、図５の（ａ）及び（ｂ）に示す矢印の方向にウィンドウＷを移動して、同様の画像データ抽出、データ解析を実施する。なお、画像データの差異（原稿Ｐの載置位置の差異）は原稿Ｐの端に現れ易いので、設定されているシートサイズの端からウィンドウＷはデータを抽出、移動していくものとする。
【００２５】
ここで、データ解析の結果、データの差がすべて０の場合は、第１の画像データと、第２の画像データは同じであると判断する。また、データの差が０以外であることを識別した場合は、第１の画像データと第２の画像データは差異があると判断する。そして、このように２つの画像データの差が生じた場合、例えば原稿Ｐの位置が動いたと判断することができる。なお、本実施の形態においては、第１の画像データと第２の画像データの差異がある、つまり原稿の位置が動いたと判断した場合は、最新の画像データを表示部３１にプレビュー表示する。この場合、最新の画像データは第２の画像データである。そして、このように原稿画像を読み取る前に、逐次、最新の原稿載置位置を確認することにより、画像読取動作（画像形成動作）を開始する前に、操作者は原稿の載置位置を変更することができ、これにより希望どおりの複写物を得ることができる。
【００２６】
なお、図６は最新の画像データに応じて原稿の載置位置を変更する例を示す図である。図６の（ａ）は、斜め方向にずれていた原稿Ｐを真っ直ぐにした場合、図６の（ｂ）は、傾いていた原稿Ｐを真っ直ぐにした場合、図６の（ｃ）は、折れていた原稿Ｐを修正した場合、図６の（ｄ）は本ＢＰの見開きがゆがんでいたものを修正した場合を示している。そして、例えば図６の（ｃ）の場合、折れている原稿Ｐの画像を表示部１３において最初に表示し、折れを修正された原稿Ｐの画像データを比較して次に表示する。また、図６の（ｄ）の場合は、本ＢＰの見開きがゆがんでいる画像を最初に表示し、ゆがみを修正した画像データを比較して次に表示する。
【００２７】
次に、このような画像読取装置１のプレビュー表示制御を図７に示すフローチャートを用いて説明する。なお、このフローチャートは、ＲＯＭ５２の中に格納されているプログラムに基づくＣＰＵ５１の制御動作を示すものである。原稿Ｐの載置位置をプレビュー表示する場合は、まず原稿Ｐをプラテンガラス上に載せ、操作部１３のスタートキーを押下する。これにより、読取素子４３が原稿Ｐの載置位置（載置状態）を読み取り、読み取った第１の画像データをデータ蓄積部５３に格納すると共に、既述した図４に示すように表示部３１でプレビュー表示する（Ｓ６１）。
【００２８】
ここで、原稿Ｐが横方向にずれている場合は、既述した図４の（ｂ）に示すプレビュー表示により、操作者は、これを判別できる。この場合、操作者は圧板１２を開けて、再度、原稿Ｐの位置を所定の載置位置に載置し直す。この後、読取素子４３により原稿Ｐの載置位置を読み取って再度、既述した図４の（ｃ）に示すようなプレビュー表示により、操作者は原稿の載置位置を確認できる。
【００２９】
次に、画像読取動作（画像形成動作）を開始する操作部１３のスタートキー、あるいは他の所定のキーが、一定時間が経過するまでに押下されたかどうかを監視する（Ｓ６２）。なお、この判断は、ＣＰＵ５１がタイマーによりカウントするが、タイマー機能を持つ素子を設けてタイマーカウントしても良い。ここで、操作者は表示部３１によるプレビュー表示により原稿Ｐが所定の画像読み取り位置（載置位置）にあると判断すると、一定時間が経過する前に（Ｓ６２のＮ）、スタートキーを押下げて画像読取動作を開始するスタート操作を行う（Ｓ６３のＹ）。これにより、画像読取動作が開始されて原稿画像が読み取られ、この後、読み取られた画像データを記録部５５により印字データとして画像形成装置２０に出力する（Ｓ６４）。なお、このように操作者のスタート操作により現在、表示している画像をシートに印字することが出来るので、希望どおりの複写物が得られる。
【００３０】
一方、スタート操作が行われることなく（Ｓ６３のＮ）、一定時間が経過すると（Ｓ６２のＹ）、再度、ＣＰＵ５１は、読取素子４３により原稿Ｐの載置位置を読み取り、読み取った第２の画像データをデータ蓄積部５３に格納する。そして、この後、先にデータ蓄積部５３に格納されている直前の第１の画像データと、再度、読み取った第２の画像データとを比較する（Ｓ６５）。そして、この比較結果により、直前の第１の画像データと、最新の第２の画像データで差異があるか（Ｓ６６）、すなわち原稿の載置位置が動いたかどうかを検知する。ここで、本実施の形態においては、最新の原稿載置位置を示す第２の画像データと、最新の原稿載置位置の直前の原稿載置位置を示す直前の画像データとの差異を画像データ解析部５４で解析して検知する。
【００３１】
そして、直前の画像データと差異がある場合には（Ｓ６６のＹ）、つまり直前の画像データとの差が０以外であることを識別した場合は、原稿Ｐの位置が動いたと判断する。そして、この判断により、ＣＰＵ５１は、最新の画像データである第２の画像データを表示部３１にプレビュー表示する（Ｓ６７）。この後、操作者は、このような第２の画像データのプレビュー表示に基づき、本や原稿をセットし直す。次に、ＣＰＵ５１は、このようにプレビュー表示を行った後、スタート操作がされたかどうかを監視し（Ｓ６８）、スタート操作が行われなければ（Ｓ６８のＮ）、Ｓ６２に進む。また、スタート操作が行われれば（Ｓ６８のＹ）、画像読取動作を開始して原稿画像を読み取り、この後、読み取られた画像データを記録部５５により印字データとして画像形成装置２０に出力する（Ｓ６４）。
【００３２】
なお、直前の画像データと第２の画像データで差異がないと判断した場合（Ｓ６６のＮ）、すなわち原稿の載置位置が動いていないと判断した場合には、この後、スタート操作が行われることなく（Ｓ６３のＮ）、一定時間が経過したかを判断する（Ｓ６２）。そして、スタート操作が行われることなく（Ｓ６３のＮ）、一定時間が経過すると（Ｓ６２のＹ）、再度、読取素子４３により原稿Ｐを読み取り、読み取った画像データを第３の画像データとしてデータ蓄積部５３に格納し、直前の第２の画像データと比較する。ここで、直前の画像データと差異がある場合には（Ｓ６６のＹ）、原稿Ｐの位置が動いたと判断し、この後、最新の画像データとして第３の画像データを表示部３１にプレビュー表示する（Ｓ６７）。
【００３３】
次に、このように第３の画像データをプレビュー表示した後、スタート操作が行われたかどうかを監視し（Ｓ６８）、スタート操作が行われなければ（Ｓ６８のＮ）、Ｓ６２に進む。また、スタート操作が行われれば（Ｓ６８のＹ）、画像読取動作を開始して原稿画像を読み取り、この後、読み取られた画像データを記録部５５により印字データとして画像形成装置２０に出力する（Ｓ６４）。
【００３４】
以上説明したように、本実施の形態においては、画像読取動作が開始されるまでは、所定間隔（３秒）で原稿の載置位置を検知している。そして、検知した最新の原稿載置位置と、直前の原稿載置位置とが異なる場合には、最新の原稿載置位置を表示することにより、逐次、最新の読み取り原稿載置位置が確認できる。つまり、所定間隔ごとに原稿の載置位置を検知し、原稿がずれた場合は、原稿のずれた載置位置を表示することにより、原稿のずれを視認できる。この結果、本や原稿が動いた場合でも、画像読取動作が開始されるまでに本や原稿を所定の載置位置に載置しなおすことができるので、希望どおりの複写物を得ることができる。また、操作者のスタート操作により現在、表示している画像をシートに印字することが出来るので、希望どおりの複写物が得られる。
【００３５】
なお、これまでの説明においては、原稿Ｐの載置位置を検知する検知部として、読取素子４３を用いたが、原稿台内部に複数の原稿位置検知センサを設けて、その出力を随時、検出するようにしても良い。この場合も、複数の原稿位置検知センサからの出力に差がある場合には、原稿Ｐの位置が動いたと判断する。
【００３６】
また、これまでの説明においては、表示している画像データをシートに印字するための操作として、スタートキーを押下げる操作を行う場合について述べてきた。しかし、画像形成装置にマイク機能、マイク音声入力機能、マイク音声を認識する音声認識機能を有して、「コピースタート」のような音声が入力されたことを検知すると、印字するための所定の操作がなされたと判断するようにしても良い。そして、このような構成とすることにより、操作者の手がふさがっていたりして手が使えない場合でも容易に希望の複写物を得ることができる。
【００３７】
次に、本発明の第２の実施の形態について説明する。既述した第１の実施の形態においては、最新画像データをプレビュー表示した後、スタート操作が行われると、読み取られた画像データを画像形成装置２０に出力するようにしている。これに対し、本実施の形態においては、プレビュー表示した最新画像データが所定の範囲内にあるとき、スタート操作が行われなくとも、読み取られた画像データを記録部５５により印字データとして画像形成装置２０に出力するようにしている。すなわち、本実施の形態においては、原稿が所定の載置位置にあることを検知した場合には、スタート操作が行われなくとも、読み取られた画像データを画像形成装置２０に出力するようにしている。
【００３８】
図８は、このような本実施の形態に係る画像読取装置のプレビュー表示制御を示すフローチャートである。このフローチャートは、ＲＯＭ５２の中に格納されているプログラムにより動作するものであり、ＣＰＵ５１が制御する動作である。なお、図８において、既述した図７に示すフローチャートと同一の処理を施すものには同一の符号（Ｓ６１〜Ｓ６７）を付している。
【００３９】
図８に示すように、本実施の形態において、直前の画像データと差異がある場合には（Ｓ６６のＹ）、最新画像データである第２の画像データを表示部３１にプレビュー表示し（Ｓ６７）、原稿が所定の載置位置にあるかどうかを判断する（Ｓ１１１）。そして、原稿が所定の載置位置にあると判断した場合（Ｓ１１１のＹ）、そのままスタート操作を行うことなく、読み取られた画像データを記録部５５により印字データとして画像形成装置２０に出力する（Ｓ６４）。
【００４０】
一方、原稿が所定の載置位置にないと判断した場合は（Ｓ１１１のＮ）、操作者は、このような第２の画像データのプレビュー表示に基づき、本や原稿をセットし直す。例えば、図９は、本ＢＰの見開きがゆがんでいたものを修正した場合の例であり、図９の（ａ）に示すように見開きがゆがんでいる本ＢＰを、図９の（ｂ）に示すようにセットし直している。また、画像データ解析部５４は定型枠をデータとして有しているものとする。定型枠は、例えば、シートサイズのＡ４などであっても良い。あるいはＡ４の拡大／縮小寸法のものであっても良い。
【００４１】
本ＢＰの見開きがゆがんでいる場合は、図９の（ａ）に示すように本ＢＰと、定型枠との間には、本ＢＰがはみ出している箇所や、隙間が生じている箇所が認められる。これを既述した図５で説明したものと同様にウィンドウを設けて、有意な画像データかどうかを検出することにより、有意でない画像データが認められる場合は、原稿が所定の載置位置にないと判断する。また、有意でない画像が認められない場合は原稿が所定の載置位置にあると判断する。
【００４２】
なお、本の見開きがゆがんでいる場合、他にも例えば図９の（ａ）に示すように原稿の辺が定型枠と平行でない箇所が認められる。この場合、画像データにより原稿の辺を検出することにより、原稿の辺が定型枠と平行関係にあるかどうかを解析し、平行関係にない場合は原稿が所定の載置位置にないと判断し、すべて平行関係にある場合は原稿が所定の載置位置にあると判断する。
【００４３】
そして、このような構成によってセットし直された原稿が所定の載置位置にあると判断した場合には（Ｓ１１１のＹ）、そのままスタート操作を行うことなく、読み取られた画像データを記録部５５により印字データとして画像形成装置２０に出力する（Ｓ６４）。
【００４４】
以上説明したように、本実施の形態においては、原稿が所定の載置位置にあるかを判断し、原稿が所定の載置位置にあると判断すると、スタート操作を行うことなく、読み取られた画像データをシートに印字するようにしている。これにより、スタート操作を省くことができ、より簡単な操作で希望どおりの複写物が得られる。
【符号の説明】
【００４５】
１…画像読取装置、１１…画像読取装置本体、１２…圧板ユニット、１３…操作部、１４…プラテンガラス、２０…画像形成装置、３１…表示部、４３…読取素子、５１…ＣＰＵ、ＢＰ…本、Ｐ…原稿
【図１】
2011119815.tif 000003
【図２】
2011119815.tif 000004
【図３】
2011119815.tif 000005
【図４】
2011119815.tif 000006
【図５】
2011119815.tif 000007
【図６】
2011119815.tif 000008
【図７】
2011119815.tif 000009
【図８】
2011119815.tif 000010
【図９】
2011119815.tif 000011
【図１０】
2011119815.tif 000012